(57)【要約】【課題】  複数のサービスネットワークを同一のバックボーンネットワークに収容する場合であり、さらにバックボーンネットワークの制御情報とバックボーンネットワークを経てサービスネットワーク間を送受信される情報とが分離されている場合において、サービスネットワークの制御情報を転送する際の信頼性を高めることを課題とする。【解決手段】  エッジノード２は、サービスネットワーク７から送信されたサービスネットワークの制御情報を、制御情報リンク５に設定されたサービスネットワークの制御情報転送用の論理トンネル５ａを通して、サービスネットワーク８へ向けて転送するサービス情報処理部を備える構成とした。【選択図】      図１
2006238249.tif 000002
【特許請求の範囲】
【請求項１】
第１のサービスネットワーク及び第２のサービスネットワークを収容するバックボーンネットワークであって、
前記バックボーンネットワークは、
前記バックボーンネットワークと前記第１のサービスネットワークとを接続する第１のエッジノードと、
前記バックボーンネットワークと前記第２のサービスネットワークとを接続する第２のエッジノードと、
を備え、
前記第１のエッジノードは、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送するサービス情報処理部
を備えることを特徴とするバックボーンネットワーク。
【請求項２】
前記第１のエッジノードは、
バックボーンネットワークの制御情報を処理するバックボーン情報処理部
をさらに備え、
前記論理トンネルは、
前記サービス情報処理部から前記バックボーン処理部を経由して第２のエッジノードまで設定されており、
前記サービス情報処理部は、
前記第１のサービスネットワークから送信されたサービスネットワークの制御情報を、前記論理トンネルを通して、前記第２のサービスネットワークへ向けて転送する処理と、前記第１のサービスネットワークから送信されたサービスネットワークの制御情報以外の情報を前記第２のサービスネットワークへ向けて前記バックボーンネットワーク内で転送する処理とを行うこと
を特徴とする請求項１に記載のバックボーンネットワーク。
【請求項３】
前記第２のエッジノードは、
バックボーンネットワークの制御情報を処理するバックボーン情報処理部と
サービスネットワークの制御情報を処理するサービス情報処理部と
を備え、
前記論理トンネルは、
前記第１のエッジノードから、前記第２のエッジノードの前記バックボーン情報処理部を経由して前記第２のエッジノードの前記サービス情報処理部まで設定されており、
前記第２のエッジノードの前記サービス情報処理部は、
前記第１のエッジノードから送信されたサービスネットワークの制御情報を、前記論理トンネルを通して、前記第２のサービスネットワークへ向けて転送する処理と、隣接ノードから転送されたサービスネットワークの制御情報以外の情報を前記第２のサービスネットワークへ向けて前記バックボーンネットワーク内で転送する処理とを行うこと
を特徴とする請求項２に記載のバックボーンネットワーク。
【請求項４】
前記第１のエッジノードの前記サービス情報処理部は、
前記第１のサービスネットワークから送信されたサービスネットワークの制御情報を複製し、前記第２のサービスネットワークへ向けて前記バックボーンネットワーク内でも転送する処理を行うこと
を特徴とする請求項３に記載のバックボーンネットワーク。
【請求項５】
前記第２のエッジノードの前記サービス情報処理部は、
前記論理トンネルを通して転送されたサービスネットワークの制御情報と、前記バックボーンネットワーク内で転送されたサービスネットワークの制御情報とを受信した場合において、
２つのサービスネットワークの制御情報のうち、いずれかを選択し、前記第２のサービスネットワークへ向けて転送すること
を特徴とする請求項４に記載のバックボーンネットワーク。
【請求項６】
前記第２のエッジノードの前記サービス情報処理部は、
前記論理トンネルを通して転送されたサービスネットワークの制御情報と、前記バックボーンネットワーク内で転送されたサービスネットワークの制御情報とのうち、一方を受信できなかった場合において、
受信できたサービスネットワークの制御情報を、前記第２のサービスネットワークへ向けて転送すること
を特徴とする請求項４に記載のバックボーンネットワーク。
【請求項７】
第１のサービスネットワーク及び第２のサービスネットワークを収容するバックボーンネットワーク内の情報転送装置であって、
前記情報転送装置は、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送するサービス情報処理部
を備えることを特徴とする情報転送装置。
【請求項８】
第１のサービスネットワーク及び第２のサービスネットワークを収容するバックボーンネットワーク内のコンピュータによる情報転送方法であって、
前記情報転送方法は、前記コンピュータが、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送するトンネル転送ステップ
を含むことを特徴とする情報転送方法。
【請求項９】
前記トンネル転送ステップは、
前記コンピュータ内のサービス情報処理部が、前記第１のサービスネットワークから送信されたサービスネットワークの制御情報を、前記論理トンネルを通して、前記第２のサービスネットワークへ向けて転送する処理を行う第１のステップと、
前記バックボーン情報処理部が、前記第１のサービスネットワークから送信されたサービスネットワークの制御情報以外の情報を前記第２のサービスネットワークへ向けて前記バックボーンネットワーク内で転送する処理を行う第２のステップと、
を含むことを特徴とする請求項８に記載の情報転送方法。
【請求項１０】
第１のサービスネットワーク及び第２のサービスネットワークを収容するバックボーンネットワーク内で、コンピュータに情報の転送処理を行わせる情報転送プログラムであって、
前記制御情報転送プログラムは、前記コンピュータに、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送させること
を特徴とする情報転送プログラム。
【発明の詳細な説明】
【技術分野】
【０００１】
本発明は、複数のサービスネットワークを同一のバックボーンネットワークに収容する場合において、バックボーンネットワークの制御情報とバックボーンネットワークを経てサービスネットワーク間を送受信される情報とが分離されている場合におけるバックボーンネットワーク、情報転送装置、情報転送方法、及び情報転送プログラムに関する。
【背景技術】
【０００２】
複数のサービスネットワークを同一のバックボーンネットワークに収容する場合において、バックボーンネットワークは、サービスネットワーク間で送受信する情報を転送する必要がある。サービスネットワーク間で送受信される情報としては、サービスネットワークの制御情報とサービスネットワークの制御情報以外の情報とがあるが、従来の技術として、バックボーンネットワークが、サービスネットワークの制御情報とサービスネットワークの制御情報以外の情報とを区別せずに、双方ともバックボーンネットワーク内で転送する方法がある（非特許文献１参照）。
【非特許文献１】「Generalized Multi-Protocol Label Switching(GMPLS) Architecture」，IETF，［online］，2004年10月掲載，［2005年1月21日検索］，インターネット＜ftp://ftp.rfc-editor.org/in-notes/rfc3945.txt＞
【発明の開示】
【発明が解決しようとする課題】
【０００３】
しかしながら、従来の技術では、冗長パスが設定されていないと、バックボーンネットワーク内のリソースの最適化などによってバックボーンネットワーク内でサービスネットワークの制御情報を転送するためのパスが再設定される場合に、サービスネットワークの制御情報を転送するためのパスが一時的に切断され、サービスネットワークの制御情報の通信が一時的に途絶えてしまうという問題がある。また、バックボーンネットワーク内で障害が発生した場合にも、サービスネットワークの制御情報を転送することが一時的に不可能となってしまうという問題がある。
【０００４】
そこで本発明は、以上のような問題点に鑑みてなされたものであり、複数のサービスネットワークを同一のバックボーンネットワークに収容する場合であり、さらにバックボーンネットワークの制御情報とバックボーンネットワークを経てサービスネットワーク間を送受信される情報とが分離されている場合において、バックボーンネットワーク内のリソースの最適化などによるバックボーンネットワーク内でのパスの再設定時、又はバックボーンネットワーク内での障害発生時に、サービスネットワークの制御情報の通信が途絶えることを防ぐことにより、サービスネットワークの制御情報を転送する際の信頼性を高めることを可能にするバックボーンネットワーク、情報転送装置、情報転送方法、及び情報転送プログラムを提供することを課題とする。
【課題を解決するための手段】
【０００５】
本発明は、前記課題を解決するために創案されたものであり、まず、請求項１に記載のバックボーンネットワークは、第１のサービスネットワーク及び第２のサービスネットワークを収容するバックボーンネットワークであって、前記バックボーンネットワークは、前記バックボーンネットワークと前記第１のサービスネットワークとを接続する第１のエッジノードと、前記バックボーンネットワークと前記第２のサービスネットワークとを接続する第２のエッジノードと、を備え、前記第１のエッジノードは、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送するサービス情報処理部を備える構成とした。
【０００６】
ここで、サービスネットワークとは、通信サービスを提供するネットワークのことである。また、バックボーンネットワークとは、複数のサービスネットワークを提供する上で共通的に使用される大容量の基幹通信回線ネットワークのことである。サービスネットワークの制御情報とは、サービスネットワーク内の経路情報の交換、経路設定、及び解放等を行うための情報のことであり、バックボーンネットワークの制御情報とは、バックボーンネットワーク内の経路情報の交換、経路設定、及び解放等を行うための情報のことである。
【０００７】
また、エッジノードとはバックボーンネットワークとサービスネットワークを接続するノードのことである。
【０００８】
また、バックボーンネットワークの制御情報転送用のリンクに設定されたサービスネットワークの制御情報転送用の論理トンネルとは、バックボーンネットワークの制御情報転送用のリンク上で対向するエッジノード間に設定した論理的なチャネルのことである。後記する実施形態では、バックボーンネットワークの制御情報転送用のリンク上で転送される情報のパケット内に転送すべき情報をカプセル化し、バックボーンネットワークの制御情報転送用リンク上で転送される情報のパケットの宛先アドレスに、対向するエッジノードのアドレスを直接設定して送信する。
【０００９】
かかる構成によれば、第１のサービスネットワークにおいて送信されたサービスネットワークの制御情報は、第１のエッジノードから、バックボーンネットワークの制御情報転送用のリンクと論理的に多重された論理トンネルを通して、第２のエッジノードに転送される。バックボーンネットワークの制御情報転送用のリンクは、バックボーンネットワークの制御情報を転送するためのリンクであり、これはバックボーンネットワークの制御情報以外の情報を転送するためのリンクとは区別されている。したがって、バックボーンネットワークの制御情報転送用のリンクは、経路の切り替えなどのパスの再設定が行われることがなく、サービスネットワークの制御情報の途絶を防ぎ、サービスネットワークの制御情報を転送する際の信頼性を高めることが可能となる。
【００１０】
また、請求項２に記載のバックボーンネットワークは、請求項１に記載のバックボーンネットワークにおいて、前記第１のエッジノードが、バックボーンネットワークの制御情報を処理するバックボーン情報処理部をさらに備え、前記論理トンネルは、前記サービス情報処理部から前記バックボーン処理部を経由して第２のエッジノードまで設定されており、前記サービス情報処理部は、前記第１のサービスネットワークから送信されたサービスネットワークの制御情報を、前記論理トンネルを通して、前記第２のサービスネットワークへ向けて転送する処理と、前記第１のサービスネットワークから送信されたサービスネットワークの制御情報以外の情報を前記第２のサービスネットワークへ向けて前記バックボーンネットワーク内で転送する処理と、を行う構成とした。
【００１１】
ここで、サービスネットワークの制御情報以外の情報とは、サービスネットワークのユーザ間で交換されるユーザデータのことである。
【００１２】
かかる構成によれば、サービス情報処理部において、サービスネットワークの制御情報とサービスネットワークの制御情報以外の情報とを振り分け、サービスネットワークの制御情報だけをバックボーンネットワークの制御情報転送用のリンク上で転送することができる。バックボーンネットワークの制御情報転送用のリンクは通常１００Ｍｂｉｔ／ｓ程度であり、バックボーンネットワーク内転送用のリンクは通常２．５から１０Ｇｂｉｔ／ｓ程度であるため、バックボーンネットワーク内転送用のリンクの転送能力の方が圧倒的に大きい。したがって、サービスネットワークの制御情報だけをバックボーンネットワーク内転送用のリンクを通して転送することによって、バックボーンネットワーク内転送用のリンクに対して大きな負荷をかけることを防ぐことができる。
【００１３】
さらに、請求項３に記載のバックボーンネットワークは、請求項２に記載のバックボーンネットワークにおいて、前記第２のエッジノードが、バックボーンネットワークの制御情報を処理するバックボーン情報処理部とサービスネットワークの制御情報を処理するサービス情報処理部とを備え、前記論理トンネルは、前記第１のエッジノードから、前記第２のエッジノードの前記バックボーン情報処理部を経由して前記第２のエッジノードの前記サービス情報処理部まで設定されており、前記第２のエッジノードの前記サービス情報処理部は、前記第１のエッジノードから送信されたサービスネットワークの制御情報を、前記論理トンネルを通して、前記第２のサービスネットワークへ向けて転送する処理と、隣接ノードから転送されたサービスネットワークの制御情報以外の情報を前記第２のサービスネットワークへ向けて前記バックボーンネットワーク内で転送する処理とを行う構成とした。
【００１４】
かかる構成によれば、第２のエッジノードのサービス情報処理部において、第１のエッジノードから論理トンネルを通して転送されたサービスネットワークの制御情報と、隣接ノードからバックボーンネットワーク内で転送されたサービスネットワークの制御情報以外の情報とを受信することができる。
【００１５】
また、請求項４に記載のバックボーンネットワークは、請求項３に記載のバックボーンネットワークにおいて、前記第１のエッジノードの前記サービス情報処理部が、前記第１のサービスネットワークから送信されたサービスネットワークの制御情報を複製し、前記第２のサービスネットワークへ向けて前記バックボーンネットワーク内でも転送する処理を行う構成とした。
【００１６】
かかる構成によれば、サービスネットワークの制御情報は、第１のエッジノードから論理トンネルを通して転送されるとともに、隣接ノードからバックボーンネットワーク内で転送されるので、サービスネットワークの制御情報を第１のサービスネットワークから第２のサービスネットワークへ送信する際の信頼性を高めることができる。
【００１７】
さらに、請求項５に記載のバックボーンネットワークは、請求項４に記載のバックボーンネットワークにおいて、前記第２のエッジノードの前記サービス情報処理部が、前記論理トンネルを通して転送されたサービスネットワークの制御情報と、前記バックボーンネットワーク内で転送されたサービスネットワークの制御情報とを受信した場合において、２つのサービスネットワークの制御情報のうち、いずれかを選択し、前記第２のサービスネットワークへ向けて転送する構成とした。
【００１８】
かかる構成によれば、第１のエッジノードから論理トンネルを通して転送されたサービスネットワークの制御情報と、隣接ノードからバックボーンネットワーク内で転送されたサービスネットワークの制御情報とを受信した場合において、いずれかを選択できるので、例えば、一方のサービスネットワークの制御情報に誤りが検出された場合などに、他方の誤りのないサービスネットワークの制御情報を転送することができる。
【００１９】
また、請求項６に記載のバックボーンネットワークは、請求項４に記載のバックボーンネットワークにおいて、前記第２のエッジノードの前記サービス情報処理部が、前記論理トンネルを通して転送されたサービスネットワークの制御情報と、前記バックボーンネットワーク内で転送されたサービスネットワークの制御情報とのうち、一方を受信できなかった場合において、受信できたサービスネットワークの制御情報を、前記第２のサービスネットワークへ向けて転送する構成とした。
【００２０】
かかる構成によれば、第１のエッジノードから論理トンネルを通して転送されたサービスネットワークの制御情報と、隣接ノードからバックボーンネットワーク内で転送されたサービスネットワークの制御情報とのうち、一方を受信できなかった場合において、受信できたサービスネットワークの制御情報を前記第２のサービスネットワークへ向けて転送すればよいので、サービスネットワークの制御情報を転送する際の信頼性を、さらに高めることが可能である。
【００２１】
さらに、請求項７に記載の情報転送装置は、第１のサービスネットワーク及び第２のサービスネットワークを収容するバックボーンネットワーク内の情報転送装置であって、前記情報転送装置が、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送するサービス情報処理部を備える構成とした。
【００２２】
また、請求項８に記載の情報転送方法は、第１のサービスネットワーク及び第２のサービスネットワークを収容するバックボーンネットワーク内のコンピュータによる情報転送方法であって、前記情報転送方法が、前記コンピュータが、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送するトンネル転送ステップを含む構成とした。
【００２３】
さらに、請求項９に記載の情報転送方法は、請求項８に記載の情報転送方法において、前記トンネル転送ステップは、前記コンピュータ内のサービス情報処理部が、前記第１のサービスネットワークから送信されたサービスネットワークの制御情報を、前記論理トンネルを通して、前記第２のサービスネットワークへ向けて転送する処理を行う第１のステップと、前記バックボーン情報処理部が、前記第１のサービスネットワークから送信されたサービスネットワークの制御情報以外の情報を前記第２のサービスネットワークへ向けて前記バックボーンネットワーク内で転送する処理を行う第２のステップと、を含む構成とした。
【００２４】
また、請求項１０に記載の情報転送プログラムは、第１のサービスネットワーク及び第２のサービスネットワークを収容するバックボーンネットワーク内で、コンピュータに情報の転送処理を行わせる情報転送プログラムであって、前記制御情報転送プログラムが、前記コンピュータに、前記第１のサービスネットワークから送信されたサービスネットワークの制御情報を、バックボーンネットワークの制御情報転送用のリンクに設定されたサービスネットワークの制御情報転送用の論理トンネルを通して、前記第２のサービスネットワークへ向けて転送させる構成とした。
【発明の効果】
【００２５】
本発明によれば、複数のサービスネットワークを同一のバックボーンネットワークに収容する場合であり、バックボーンネットワークの制御情報とバックボーンネットワークを経てサービスネットワーク間を送受信される情報とが分離されている場合において、サービスネットワークの制御情報を転送する際の信頼性を高めることが可能となる。
【発明を実施するための最良の形態】
【００２６】
次に、本発明を実施するための最良の形態（以下、「実施形態」という）について図面を参照して説明する。
図１は、本発明の第１実施形態及び第２実施形態に係るネットワーク構成の全体図である。図１に示すようにバックボーンネットワーク１は、エッジノード２と、コアノード３と、エッジノード４とを備えている。また、エッジノード２とコアノード３との間に制御情報リンク５とデータ転送リンク６とが張られている。コアノード３とエッジノード４との間にも同様に制御情報リンク５とデータ転送リンク６とが張られている。さらに、制御情報リンク５上には論理トンネル５ａが設定されている。ここで、コアノード３の個数は説明の都合上、１つに限定して示してあるが、個数は特に限定されるものではない。
【００２７】
サービスネットワーク７は、エッジノード２によってバックボーンネットワーク１に接続されている。また、サービスネットワーク８は、エッジノード４によってバックボーンネットワーク１に接続されている。サービスネットワーク７は、ノード７ａを備え、ノード７ａとエッジノード２との間にリンク７ｂが張られている。サービスネットワーク８は、ノード８ａを備え、ノード８ａとエッジノード４との間にリンク８ｂが張られている。ここで、ノード７ａ，８ａ、リンク７ｂ，８ｂの個数は説明の都合上、各サービスネットワークに１つずつとして限定して示してあるが、これらの個数は特に限定されるものではない。
【００２８】
ここで、コアノードとはバックボーンネットワーク内において、エッジノード間の転送を中継するノードのことであり、直接的にはエッジノード間、エッジノードとコアノード、又はコアノード間を接続するノードのことである。
【００２９】
制御情報リンク５とは、バックボーンネットワーク１の制御情報を転送するリンクである。データ転送リンク６とは、バックボーンネットワーク１を介して、サービスネットワーク７とサービスネットワーク８との間で転送する情報を転送するリンクである。
【００３０】
このように、バックボーンネットワーク１の制御情報と、バックボーンネットワーク１を経てサービスネットワーク７とサービスネットワーク８との間で送受信される情報とが分離されている。なお、第１実施形態及び第２実施形態では、サービスネットワーク７において情報を送信し、サービスネットワーク８において情報を受信する場合を例にとって説明する。
【００３１】
エッジノード２、コアノード３、エッジノード４、ノード７ａ、及びノード８ａは、スイッチング機能を有する装置である。例えば、ＧＭＰＬＳ（Generalized Multi Protocol Label Switching）のＬＳＲ（Label Switching Router）、波長クロスコネクト、ルータなどが相当する。制御情報リンク５、データ転送リンク６、リンク７ｂ、及びリンク８ｂは、ノード間を接続し、情報を転送する媒体である。例えば、光ファイバなどが相当する。
【００３２】
以下、送信側エッジノード、コアノード、及び受信側エッジノードの構成について詳細に説明する。第１実施形態及び第２実施形態において、ノード内の処理で情報はそのまま転送されるので、ノードを通過する前後において、情報には同一の符号を付してある。また、エッジノード間で転送される情報を１つのコアノードが中継することとしたが、コアノードの数は特に限定されるものではない。
【００３３】
（第１実施形態）
次に、本発明の第１実施形態について図２から図４を参照して説明する。ここで、図２から図４において、エッジノード２Ａ、コアノード３Ａ、及びエッジノード４Ａはそれぞれ、図１におけるエッジノード２、コアノード３、及びエッジノード４の第１実施形態に相当する。
＜エッジノード２Ａの説明＞
まず、図２を参照して、送信側エッジノードの構成について説明する。図２は、本発明の第１実施形態に係る送信側エッジノードの構成を示すブロック図である。図２において、エッジノード２Ａは、サービス情報処理部２１Ａとバックボーン情報処理部２２とを含んで構成される。論理トンネル５ａが、制御情報リンク５と論理的に多重されており、エッジノード２Ａのサービス情報処理部２１Ａからバックボーン情報処理部２２を経由し、エッジノード４Ａのバックボーン情報処理部４２（図４参照）を経由して、エッジノード４Ａのサービス情報処理部４１Ａ（図４参照）まで設定されている。なお、エッジノード２Ａのサービス情報処理部２１Ａは、エッジノード２のサービス情報処理部の第１実施形態を示している。
【００３４】
サービス情報処理部２１Ａは、まず、サービスネットワーク７内のノード７ａからリンク７ｂを通して送信されたサービスネットワークの制御情報ＳＩ又はサービスネットワークの制御情報以外の情報ＳＮを受信する。その後、ポート番号などの情報種別を元にサービスネットワークの制御情報ＳＩとサービスネットワークの制御情報以外の情報ＳＮとを振り分ける。
【００３５】
それらが振り分けられた後、サービス情報処理部２１Ａは、サービスネットワークの制御情報ＳＩを制御情報リンク５上で転送される情報のパケット内にカプセル化し、制御情報リンク５上で転送される情報のパケットの宛先アドレスにエッジノード４Ａのアドレスを直接指定して、論理トンネル５ａを通してエッジノード４Ａへ転送する。他方、サービスネットワークの制御情報以外の情報ＳＮは、データ転送リンク６を通して、コアノード３Ａへ転送される。
【００３６】
バックボーン情報処理部２２は、サービス情報処理部２１Ａから論理トンネル５ａを通して転送されたサービスネットワークの制御情報ＳＩの通過点となる。
【００３７】
以上、本発明の第１実施形態に係る送信側エッジノードの構成について説明したが、エッジノード２Ａは、コンピュータに送信側エッジノードのプログラムを実行させ、コンピュータ内の演算装置や記憶装置を動作させることにより実現される。
【００３８】
＜コアノード３Ａの説明＞
次に、図３を参照して、コアノードの構成について説明する。図３は、本発明の第１実施形態に係るコアノードの構成を示すブロック図である。図３において、コアノード３Ａは、バックボーン情報処理部３２とサービス情報処理部３１Ａとを含んで構成される。なお、コアノード３Ａのサービス情報処理部３１Ａは、コアノード３のサービス情報処理部の第１実施形態を示している。
【００３９】
サービス情報処理部３１Ａは、サービス情報処理部２１Ａ（図２参照）からデータ転送リンク６を通して転送されたサービスネットワークの制御情報以外の情報ＳＮを受信する。その後、サービスネットワークの制御情報以外の情報ＳＮをカプセル化されていない状態のままデータ転送リンク６を通してエッジノード４Ａへ転送する。
バックボーン情報処理部３２は、バックボーンネットワークの制御情報の処理を行う。
【００４０】
以上、本発明の第１実施形態に係るコアノードの構成について説明したが、コアノード３Ａは、コンピュータにコアノードのプログラムを実行させ、コンピュータ内の演算装置や記憶装置を動作させることにより実現される。
【００４１】
＜エッジノード４Ａの説明＞
次に、図４を参照して、受信側エッジノードの構成について説明する。図４は、本発明の第１実施形態に係る受信側エッジノードの構成を示すブロック図である。図４において、エッジノード４Ａは、サービス情報処理部４１Ａとバックボーン情報処理部４２とを含んで構成される。なお、エッジノード４Ａのサービス情報処理部４１Ａは、エッジノード４のサービス情報処理部の第１実施形態を示している。
【００４２】
バックボーン情報処理部４２は、サービス情報処理部２１Ａ（図２参照）から論理トンネル５ａを通して転送されたサービスネットワークの制御情報ＳＩの通過点となる。
【００４３】
サービス情報処理部４１Ａは、論理トンネル５ａを通して転送されたサービスネットワークの制御情報ＳＩを、リンク８ｂを通してサービスネットワーク８内のノード８ａへ転送する。また、サービス情報処理部４１は、隣接ノードから転送されたサービスネットワークの制御情報以外の情報ＳＮも同様に、リンク８ｂを通してサービスネットワーク８内のノード８ａへ転送する。
【００４４】
以上、本発明の第１実施形態に係る受信側エッジノードの構成について説明したが、エッジノード４Ａは、コンピュータに受信側エッジノードのプログラムを実行させ、コンピュータ内の演算装置や記憶装置を動作させることにより実現される。
【００４５】
以上の構成により、サービスネットワーク７において送信されたサービスネットワークの制御情報ＳＩは、エッジノード２Ａから、制御情報リンク５と論理的に多重された論理トンネル５ａを通して、エッジノード４Ａに転送される。制御情報リンク５は、バックボーンネットワークの制御情報を転送するためのリンクであり、これはバックボーンネットワークの制御情報以外の情報を転送するためのリンクとは区別されている。したがって、制御情報リンク５は、経路の切り替えなどのパスの再設定が行われることがなく、サービスネットワークの制御情報ＳＩの途絶を防ぎ、サービスネットワークの制御情報ＳＩを転送する際の信頼性を高めることが可能となる。
【００４６】
（第２実施形態）
次に、本発明の第２実施形態について図５から図７を参照して説明する。ここで、図５から図７において、エッジノード２Ｂ、コアノード３Ｂ、及びエッジノード４Ｂはそれぞれ、図１におけるエッジノード２、コアノード３、及びエッジノード４の第２実施形態に相当する。
なお、第１実施形態と同じ要素については、同じ符号を付し、説明を省略する。
＜エッジノード２Ｂの説明＞
図５は、本発明の第２実施形態に係る送信側エッジノードの構成を示すブロック図である。図５において、エッジノード２Ｂは、サービス情報処理部２１Ｂとバックボーン情報処理部２２とを含んで構成される。なお、エッジノード２Ｂのサービス情報処理部２１Ｂは、エッジノード２のサービス情報処理部の第２実施形態を示している。
【００４７】
サービス情報処理部２１Ｂは、まず、サービスネットワーク７内のノード７ａからリンク７ｂを通して送信されたサービスネットワークの制御情報ＳＩ又はサービスネットワークの制御情報以外の情報ＳＮを受信する。その後、ポート番号などの情報種別を元にサービスネットワークの制御情報ＳＩとサービスネットワークの制御情報以外の情報ＳＮとを振り分ける。
【００４８】
それらが振り分けられた後、サービス情報処理部２１Ｂは、サービスネットワークの制御情報ＳＩを複製する。その後、複製したサービスネットワークの制御情報ＳＩのうち、一方を制御情報リンク５上で転送される情報のパケット内にカプセル化し、制御情報リンク５上で転送される情報のパケットの宛先アドレスにエッジノード４Ｂのアドレスを直接指定して、論理トンネル５ａを通してエッジノード４Ｂへ転送する。そしてもう一方を、データ転送リンク６を通してコアノード３Ｂへ転送する。他方、サービスネットワークの制御情報以外の情報ＳＮは、データ転送リンク６を通して、コアノード３Ｂへ転送される。
【００４９】
エッジノード２Ｂは、第１実施形態の場合と比較してプログラムの内容が異なることが考えられるが、ハードウェア構成については、第１実施形態の場合と同様の構成をとることでエッジノード２Ｂは実現される。
【００５０】
＜コアノード３Ｂの説明＞
次に、図６を参照して、コアノードの構成について説明する。図６は、本発明の第２実施形態に係るコアノードの構成を示すブロック図である。図６において、コアノード３は、バックボーン情報処理部３２とサービス情報処理部３１Ｂとを含んで構成される。なお、コアノード３Ｂのサービス情報処理部３１Ｂは、コアノード３のサービス情報処理部の第２実施形態を示している。
【００５１】
サービス情報処理部３１Ｂは、サービス情報処理部２１Ｂ（図５参照）からデータ転送リンク６を通して転送されたサービスネットワークの制御情報以外の情報ＳＮを受信する。その後、サービスネットワークの制御情報以外の情報ＳＮをカプセル化されていない状態のままデータ転送リンク６を通してエッジノード４Ｂへ転送する。また、サービス情報処理部３１Ｂは、サービス情報処理部２１Ｂからデータ転送リンク６を通して転送されたサービスネットワークの制御情報ＳＩを受信する。その後、サービスネットワークの制御情報ＳＩをカプセル化されていない状態のままデータ転送リンク６を通してエッジノード４Ｂへ転送する。
バックボーン情報処理部３２は、バックボーンネットワークの制御情報の処理を行う。
【００５２】
コアノード３Ｂは、第１実施形態の場合と比較してプログラムの内容が異なることが考えられるが、ハードウェア構成については、第１実施形態の場合と同様の構成をとることでコアノード３Ｂは実現される。
【００５３】
＜エッジノード４Ｂの説明＞
次に、図７を参照して、受信側エッジノードの構成について説明する。図７は、本発明の第２実施形態に係る受信側エッジノードの構成を示すブロック図である。図７において、エッジノード４Ｂは、サービス情報処理部４１Ｂとバックボーン情報処理部４２とを含んで構成される。なお、エッジノード４Ｂのサービス情報処理部４１Ｂは、エッジノード４のサービス情報処理部の第２実施形態を示している。
【００５４】
サービス情報処理部４１Ｂは、論理トンネル５ａを通して転送されたサービスネットワークの制御情報ＳＩを受信する。また、隣接ノードから転送されたサービスネットワークの制御情報ＳＩも受信する。サービス情報処理部４１Ｂは、受信した２つのサービスネットワークの制御情報ＳＩのいずれかを選択し、リンク８ｂを通してサービスネットワーク８内のノード８ａへ転送する。
【００５５】
また、障害等が発生すると、サービス情報処理部４１Ｂは、論理トンネル５ａを通して転送されたサービスネットワークの制御情報ＳＩと、データ転送リンク６を通して隣接ノードから転送されたサービスネットワークの制御情報ＳＩとのうち、一方が受信できなくなる。そのような場合は、受信できたサービスネットワークの制御情報ＳＩを、リンク８ｂを通してサービスネットワーク８内のノード８ａへ転送することが可能である。
【００５６】
エッジノード４Ｂは、第１実施形態の場合と比較してプログラムの内容が異なることが考えられるが、ハードウェア構成については、第１実施形態の場合と同様の構成をとることでエッジノード４は実現される。
【００５７】
以上の構成により、第２実施形態では、サービスネットワーク７において送信されたサービスネットワークの制御情報ＳＩは、サービス情報処理部２１Ｂにおいて複製され、エッジノード２Ｂから制御情報リンク５と論理的に多重された論理トンネル５ａを通して転送される以外に、データ転送リンク６を通して転送される。したがって、サービスネットワークの制御情報ＳＩを転送する際の信頼性を、さらに高めることが可能である。
【００５８】
また、第１実施形態及び第２実施形態においては、２つのサービスネットワークを収容するバックボーンネットワークについて説明してきたが、３つ以上のサービスネットワークを収容する場合であっても、そのうち２つのサービスネットワークの組み合わせを選択し、本発明を適用することで、本発明の効果を得ることが可能である。
【図面の簡単な説明】
【００５９】
【図１】第１実施形態及び第２実施形態に係るネットワーク構成の全体図である。
【図２】第１実施形態に係る送信側エッジノードの構成を示すブロック図である。
【図３】第１実施形態に係るコアノードの構成を示すブロック図である。
【図４】第１実施形態に係る受信側エッジノードの構成を示すブロック図である。
【図５】第２実施形態に係る送信側エッジノードの構成を示すブロック図である。
【図６】第２実施形態に係るコアノードの構成を示すブロック図である。
【図７】第２実施形態に係る受信側エッジノードの構成を示すブロック図である。
【符号の説明】
【００６０】
１      バックボーンネットワーク
２（２Ａ，２Ｂ），４（４Ａ，４Ｂ）  エッジノード
３（３Ａ，３Ｂ）  コアノード
５      制御情報リンク
５ａ    論理トンネル
６      データ転送リンク
７，８  サービスネットワーク
２１Ａ，２１Ｂ，３１Ａ，３１Ｂ，４１Ａ，４１Ｂ  サービス情報処理部
２２，３２，４２  バックボーン情報処理部
ＳＩ    サービスネットワークの制御情報
ＳＮ    サービスネットワークの制御情報以外の情報
【図１】
2006238249.tif 000003
【図２】
2006238249.tif 000004
【図３】
2006238249.tif 000005
【図４】
2006238249.tif 000006
【図５】
2006238249.tif 000007
【図６】
2006238249.tif 000008
【図７】
2006238249.tif 000009